(57)【要約】【課題】  この場所にある小片５を空気力により排出又は他の場所に移送する簡便構造のトルネード式小片吸引移送装置を提供する。【解決手段】  強力空気送風手段３から外管１と内管２との間に形成されている空気通路９内に圧力空気を導入し、外管１の下端にあるエジェクタ４の狭隙間１０から内管２の下端に上向きの空気流れを生じさせる。この空気流れによって内管２内に揚力とエントツ効果が生じ、地面６上の小片５は内管２内に吸引される。【選択図】  図１
0003125991.tif 000002
【実用新案登録請求の範囲】
【請求項１】
小片を空気力により吸引し他の場所に移送するためのトルネード式小片吸引移送装置であって、該装置は、空気送風手段に連結すると共に下方に開口部を有する外管と、該外管の内面との間に前記強力空気送風手段からの空気が通過する空気通路を形成して前記外管内に収納され上下に開口部を形成する内管と、前記外管の下端に上方に傾斜して配設され前記空気通路を下向してきた空気を前記内管の下方の開口部側に送るための狭隙間を形成するエジェクタとを有することを特徴とするトルネード式小片吸引移送装置。
【請求項２】
前記内管の上端には内管内に吸引された前記小片を排出させるための排出管が連結されることを特徴とする請求項１に記載のトルネード式小片吸引移送装置。
【請求項３】
前記内管の上端と前記他の場所との間には、内管内に吸引された小片を前記他の場所に移送するための移送管が連結されることを特徴とする請求項１に記載のトルネード式小片吸引移送装置。
【考案の詳細な説明】
【技術分野】
【０００１】
本考案は、小片、特に多量の小片を空気力で吸引して一つの場所から他の場所に移送する簡便構造の移送装置に係り、集塵装置として使用されることは勿論、移送手段として有用なトルネード式小片吸引移送装置に関する。
【背景技術】
【０００２】
一つの場所にある品物を他の場所に移送する手段としては各種多様のものがあるが、小片を吸引して他の場所に移送したり、小片の整理や排出除去を空気力で行う簡便の手段は公知技術としては少なく、例えば、「特許文献１」が挙げられる。
【特許文献１】特開２００１−７８９２６号（図１）
【考案の開示】
【考案が解決しようとする課題】
【０００３】
「特許文献１」の「特開２００１−７８９２６号」の「携帯用集塵機」は、地面に散らばっている落ち葉を吸引除去するものであり、後記する本考案と構造的に似ている点があるが、その構成としては第１風路と第２風路と第３風路との３つの風路を有するものからなり、その内の１つの風路（ここでは第１風路）は空気を地面に向かって噴出させるための風路であり、第２風路はその下端において空気の流れ方向を変換させるエジェクタを設けるものであり、第３風路は上下に開口し第２風路に隣接と設けられる吸引用の風路からなる。この「集塵機」はその名称にあるように落ち葉等の集塵であり本考案のように、小片を他の場所に移送する目的を有するものではなく、本考案では構成，目的，効果において相異するものである。また、ここでは詳細開示しないが、品物を吸引して移送する大掛りの装置は昔から存在しているが、手軽なものでなく、その用途も限定され、設備コストも高く、各種の品物の吸引や移送に適用するものではなく、一般に手軽に使用し難い問題点を有する。
【０００４】
本考案は、以上の事情に鑑みて考案されたものであり、簡便な機構からなり、各種の品物、特に小片の吸引除去やこの小片を所望の他の場所に簡単に移送することができるトルネード式小片吸引移送装置を提供することを目的とする。
【課題を解決するための手段】
【０００５】
本考案は、以上の目的を達成するために、請求項１の考案は、小片を空気力により吸引し他の場所に移送するためのトルネード式小片吸引移送装置であって、該装置は、空気送風手段に連結すると共に下方に開口部を有する外管と、該外管の内面との間に前記強力空気送風手段からの空気が通過する空気通路を形成して前記外管内に収納され上下に開口部を形成する内管と、前記外管の下端に上方に傾斜して配設され前記空気通路を下向してきた空気を前記内管の下方の開口部側に送るための狭隙間を形成するエジェクタとを有することを特徴とする。
【０００６】
また、請求項２の考案は、前記内管の上端には内管内に吸引された前記小片を排出させるための排出管が連結されることを特徴とする。
【０００７】
また、請求項３の考案は、前記内管の上端と前記他の場所との間には、内管内に吸引された小片を前記他の場所に移送するための移送管が連結されることを特徴とする。
【考案の効果】
【０００８】
本考案の請求項１のトルネード式小片吸引移送装置によれば、空気送風手段により外管と内管との間の空気通路に導入された空気は、外管の下端に介設される狭隙間のエジェクタによって内管の下方に導入され、発生する揚力とエントツ効果により上向きの空気流れを形成する。この上向きの流れにより内管の下端の開口部に負圧が発生し、この負圧力により外管や内管の下方に配置されている小片を上方に移動させる。これにより、小片の処理が可能となる。勿論、本考案の場合フィルタ等を必要とせず、目詰りや故障等の心配がない。
【０００９】
また、本考案の請求項２のトルネード式小片吸引移送装置によれば、内管の上端に排出管を連結することにより内管内に吸引された小片は排出管の排出口から外方に排出される。これにより、小片の処理が簡単に行われる。
【００１０】
また、本考案の請求項３のトルネード式小片吸引移送装置によれば、内管の上端に他の場所に通ずる移送管を設けることにより、小片を所望の他の場所に容易に移送することができる。
【考案を実施するための最良の形態】
【００１１】
以下、本考案のトルネード式小片吸引移送装置の実施の形態を図面を参照して詳述する。
図１は、本考案のトルネード式小片吸引移送装置１００の全体概要構造を示す構成図である。大別すると、外管１と、内管２と、強力空気送風手段３と、外管の下端に設けられるエジェクタ４等とからなる。
【００１２】
外管１は上下に開口部を形成する中空管からなり、内管２は外管１の内部に収納され上下に開口部７，８を形成する中空管からなる。なお、外管１の内面と内管２の外面との間には空気通路９が形成される。
【００１３】
強力空気送風手段３は、圧力空気を送風し得るものであればよいが、本考案のトルネード式小片吸引移送装置１００の手軽性の目的から普通の人間が簡単に取扱うことができるポータブル送風機（例えば、エンジン付き）の如きものが望ましい。勿論これに限定するものではない。
【００１４】
エジェクタ４は、外管１の下端の開口部に一端部を固定し上方に向かって傾斜する円錐体からなり、その先端と内管２の下端の開口部８との間には狭隙間１０が形成される。
【００１５】
次に、本考案のトルネード式小片吸引移送装置１００による小片５の排出作用を主として図２により説明する。
強力空気送風手段３からの圧力空気は空気通路９に導入されて下向し、エジェクタ４に衝突して狭隙間１０から噴出される。この噴出空気はエジェクタ４が上方に傾斜しているため図示のように上方に向かう空気力を発生させる。この空気力により、内管２の下端に負圧が生じ、内管２内に揚力が生ずると共にエントツ効果を生じさせる。このため地面６にある小片５はこの揚力により内管２内に吸引され、エントツ効果を伴って上方に向かって運ばれる。この上方に運ばれた小片５は内管２との上方の開口部７から外部に排出されることになる。このように、本考案のトルネード式小片吸引移送装置１００は装置の下端側を小片５に近接させた状態で強力空気送風手段３を作動するだけの簡単な方法により、地面６上の小片５をほぼすべて外部側に排出させることができる。なお、例えば、強力空気送風手段３を人間が背負い、外管１等を手で持って地面６上を歩くことにより、地面６上に広範囲にわたってちらばっている小片５をすべて吸引して除去することができる。
【実施例１】
【００１６】
図３は本考案のトルネード式小片吸引移送装置１００の１つの実施例を示すものである。本実施例では内管２の上端に排出管１１を連結したものである。前記のように、地面６上の小片５は内管１の上方に向かって運ばれるが内管１の上方の開口部７に排出管１１を連結することにより、排出管１１の排出口１２から小片５を吹き出させて処理することができる。そのため、この排出口１２の場所に袋（図略）を配置することにより、袋内は小片５をすべて収納することができ、小片５の片付けが容易に行われる。
【実施例２】
【００１７】
図４はトルネード式小片吸引移送装置１００の実施例２を示すものである。この実施例では内管２の上端に移送管１３が連結されるものである。移送管１３は任意の形状のものであるが、その他端は他の場所１４の近傍に開口するものである。即ち、例えば、地面６（一つの場所）に散らばっている小片５を所望の他の場所１４に移送管１３により移送することができる。
仮りに他の場所１４を車両の荷台とすると、一の場所（地面６）にあった小片５を車両の荷台上に積重することができ、車両により小片５を遠隔地に移動して処理することができる。
【００１８】
以上の説明においてトルネード式小片吸引移送装置１００の構成や実施例を説明したが、本考案は以上の内容に限定するものではなく、同一技術的範疇のものが適用されることは勿論である。
【産業上の利用可能性】
【００１９】
本考案のトルネード式小片吸引移送装置は、小片を排出除去や移送することを主目的としているものであるが、処理する品物は小片に限定するものではなく本考案の揚力やエントツ効果によって上方に移送される品物のすべてに適用され、かつフィルタ等のメンテナンスを要するものを必要としないため、極めて簡便に取扱いできその利用範囲も極めて広い。
【図面の簡単な説明】
【００２０】
【図１】本考案のトルネード式小片吸引移送装置の全体構成を示す構成図。
【図２】本考案のトルネード式小片吸引移送装置による小片処理作用を示す模式的軸断面図。
【図３】本考案のトルネード式小片吸引移送装置の一の実施例を示す模式的軸断面図。
【図４】本考案のトルネード式小片吸引移送装置の他の実施例を示す模式的軸断面図。
【符号の説明】
【００２１】
１      外管
２      内管
３      強力空気送風手段
４      エジェクタ
５      小片
６      地面
７      開口部
８      開口部
９      空気通路
１０    狭隙間
１１    排出管
１２    排出口
１３    移送管
１４    他の場所
１００  トルネード式小片吸引移送装置
【図１】
0003125991.tif 000003
【図２】
0003125991.tif 000004
【図３】
0003125991.tif 000005
【図４】
0003125991.tif 000006